(57)【要約】【課題】駆動源として小型なモータを採用することが可能な浮上油除去装置の提供。【解決手段】浮上油除去装置１は、タンク１６内の切削液１７中に下端を没入させた無端紐１２を駆動モータにより回転させ、無端紐１２に付着した浮上油を除去する。無端紐１２に遊貫され下端には傾斜面１９aが形成された管部材１９と、管部材１９を保持する管部材保持部１８とを備えている。管部材保持部１８は、駆動モータを収容するモータ収容部６側からタンク１６側に向かって水平方向に延出する延出部４に設けられている。延出部４は傾斜面１９aと連なって傾斜する傾斜案内面４ｂを有している。【選択図】  図１
2011183508.tif 000002
【特許請求の範囲】
【請求項１】
タンク内の切削液中に下端を没入させた無端紐を駆動モータにより回転させ、該無端紐に付着した浮上油を除去する浮上油除去装置であって、該無端紐に遊貫され下端には傾斜面が形成された管部材と、該管部材を保持する管部材保持部とを備えることを特徴とする浮上油除去装置。
【請求項２】
該管部材保持部は、該駆動モータを収容するモータ収容部側から該タンク側に向かって水平方向に延出する延出部に設けられており、該延出部は該傾斜面と連なって傾斜する傾斜案内面を有することを特徴とする請求項１に記載の浮上油除去装置。
【発明の詳細な説明】
【技術分野】
【０００１】
本発明は、タンク内の切削液の表面に存在する浮上油を除去する為の浮上油除去装置に関する。
【背景技術】
【０００２】
マシニングセンタ等の工作機械による機械加工では、工具によるワークの切削部位に対して切削液が供給される。この切削液はタンクに集められて繰り返して使用されるものであるが、工作機械の作動部分を潤滑する為に用いられる潤滑油もこのタンク内に流入し、切削液の表面に浮上油として浮上するようになる。浮上油によって切削液が劣化すると工具の破損等が生じ、ワークの品質にも影響することになるので、下記特許文献１に所載されるような浮上油除去装置を用いて浮上油をタンク内から除去してやることが行われている。
【先行技術文献】
【特許文献】
【０００３】
【特許文献１】特開２００９−１０７１１２号公報
【発明の概要】
【発明が解決しようとする課題】
【０００４】
しかし、従来の浮上油除去装置は無端ベルトに付着した浮上油をスクレーパにより削り取るものであり、無端ベルトとスクレーパとの間には摩擦抵抗が生じることになる。従って、無端ベルトを回転駆動させる駆動モータとして小型なものを採用するとことができず、浮上油除去装置がコンパクトなものにならないという問題を有していた。
【０００５】
従って、本発明は上記の問題点に鑑みてなされ、駆動モータとして従来よりも小型なものを採用することが可能な浮上油除去装置を提供することを目的とする。
【課題を解決するための手段】
【０００６】
上記目的を達成するために、本発明は、タンク１６内の切削液１７中に下端を没入させた無端紐１２を駆動モータにより回転させ、該無端紐１２に付着した浮上油を除去する浮上油除去装置１であって、該無端紐１２に遊貫され下端には傾斜面１９ａが形成された管部材１９と、該管部材１９を保持する管部材保持部１８とを備えた浮上油除去装置１を提供する。
【０００７】
ここで、該管部材保持部１８は、該駆動モータを収容するモータ収容部６側から該タンク１６側に向かって水平方向に延出する延出部４に設けられており、該延出部４は該傾斜面１９aと連なって傾斜する傾斜案内面４ｂを有することが好ましい。
【発明の効果】
【０００８】
本発明の浮上油除去装置によれば、駆動モータとして小型なものを採用可能であるので、浮上油除去装置をコンパクトなものにすることができる等の効果を奏する。
【図面の簡単な説明】
【０００９】
【図１】本実施形態に係る浮上油除去装置を示す概略正面図である。
【図２】図１の概略左側面図である。
【図３】本実施形態に係る浮上油除去装置の延出部の先端を示す断面図である。
【発明を実施するための形態】
【００１０】
本発明の一実施形態にかかる浮上油除去装置について図１乃至図３を参酌しつつ説明する。浮上油除去装置１は、基台部２と、該基台部２上に立設された支柱部３と、該支柱部３の上部に基端が固定されて水平方向に延出する延出部４と、該延出部４の基端に連結板５を介して連結されたモータ収容部６を備えている。モータ収容部６内には図示せぬ駆動モータとギヤボックスが収容されており、駆動モータの出力はギヤボックスにより適宜の回転数に減速され、出力軸７を回転させる。出力軸７は連結部材８によって回転軸９の一端と連結されており、回転軸９は水平方向に延出する延出部４上に間隔を空けて立設された２つの支持部４aによって回転可能に支持されている。そして、回転軸９の他端にはネジ１０によって上側ホイール１１が固定されている。
【００１１】
上側ホイール１１にはゴム製の無端紐１２の上端が掛け回されている。無端紐１２の下端は、ネジ１３を用いて錘１４に対して回転可能に取り付けられた下側ホイール１５に掛け回され、切削液用タンク１６内に貯留された切削液１７中に没入されている。そして、回転軸９が駆動モータにより回転されると上側ホイール１０が回転し、無端紐１２は矢印Ｒの方向に回転駆動されるよう構成されている。
【００１２】
切削液１７の上方に配置されることになる延出部４の先端には傾斜案内面４ｂが形成されている。図２及び図３に示すように、傾斜案内面４ｂには貫通孔１８が形成されており、延出部４の先端を上下方向に貫通している。図３に示すように、貫通孔１８は、傾斜案内面４ｂ側に形成された大径部１８ａと、該大径部１８aよりも上方に位置し、大径部１８ａよりも一段径が小さくなっている小径部１８ｂとからなっている。大径部１８ａ内にはゴム製の管部材１９が収容・保持されており、上述した無端紐１２は大径部１８ａ内に収容された管部材１９と小径部１８ｂとの間に僅かな隙間Ｓを有して遊貫している。詳細には、無端紐１２の外径２．３ｍｍに対して管部材１９の内径は２．５ｍｍであり、無端紐１２と管部材１９との間に０．１ｍｍの隙間Ｓが設けられている。又、小径部１８ｂの径も２．５ｍｍであり、無端紐１２と小径部１８ｂとの間にも０．１ｍｍの隙間Ｓが設けられている。管部材１９はその下端に、延出部４の傾斜案内面４ｂと連なって傾斜する傾斜面１９ａを有している。延出部４に形成された貫通孔１８は、本発明の管部材保持部に相当する。
【００１３】
傾斜案内面４ｂの下縁４ｃの下方には、連結板２０を介して延出部４に固定された案内板２１が位置しており、傾斜案内面４ｃの下縁４ｃから下方に滴下した浮上油を基台部２上に設置された浮上油用タンク２２内に案内するようになっている。
【００１４】
以上のように構成された浮上油除去装置１の作用について説明する。駆動モータにより上側ホイール１１を回転駆動すると、上側ホイール１１に巻き回された無端紐１２は矢印Ｒ方向への回転を開始する。無端紐１２には切削液１７の表面に浮上している浮上油が付着し、無端紐１２に付着した浮上油は延出部４の先端まで運ばれる。管部材１９と無端紐１２との間の隙間Ｓに侵入できずにオーバーフローした浮上油は管部材１の傾斜面１９ａに沿って移動し、傾斜面１９ａと連なる傾斜案内面４ｂにより下縁４ｃに導かれて下方に滴下する。そして、浮上油は案内板２１により浮上油用タンク２２内に導かれる。
【００１５】
管部材１９と無端紐１２との間の隙間Ｓに侵入して上方へと流れる微量の浮上油は、隙間Ｓを満たすことにより油膜潤滑の効果を発揮すると共に、隙間Ｓ内に微細ゴミが堆積することを防止する。
【００１６】
本実施形態の浮上油除去装置１によれば、無端紐１２に遊貫され下端には傾斜面１９aが形成された管部材１９によって無端紐１２に付着した浮上油が除去され、管部材１９と無端紐１２との間の隙間Ｓ内に進入した微量の浮上油によって油膜潤滑がなされるので、管材１９と無端紐１２との間に摩擦抵抗が殆ど生じることがない。従って、無端紐１２を回転駆動する為の駆動モータには、浮上油をスクレーパで擦り取る従来の浮上油除去装置に用いられていた駆動モータよりも小型なものを採用することが可能となる。又、管部材１９を保持する貫通孔１８は、駆動モータを収容するモータ収容部６側から該タンク１６側に向かって水平方向に延出する延出部４に設けられており、該延出部４には傾斜面１９aと連なる傾斜案内面４ｂが形成されているので、管部材１９により除去された浮上油を滴下位置である下縁４ｃまでスムーズに導いて除去することが可能である。
【００１７】
本発明による浮上油除去装置は、上述した実施形態に限定されず、特許請求の範囲に記載された範囲で種々の変形や改良が可能である。例えば、上述した実施形態においては傾斜面１９ａと傾斜案内面４ｂは同一角度で傾斜して連なっていたが、傾斜角度を相違させてもよい。  
【符号の説明】
【００１８】
１      浮上油除去装置
２      基台部
３      支柱部
４      延出部
４ｂ    傾斜案内面
４ｃ    下縁
６      モータ収容部
７      出力軸
９      回転軸
１１    上側ホイール
１２    無端紐
１５    下側ホイール
１６    切削油用タンク（タンク）
１７    切削油
１８    貫通孔（管部材保持部）
１８ａ  大径部
１８ｂ  小径部
１９    管部材
１９ａ  傾斜面
【図１】
2011183508.tif 000003
【図２】
2011183508.tif 000004
【図３】
2011183508.tif 000005